(57)【要約】【課題】耳の位置が所定位置から多少外れても良好な音声が得られるような携帯端末装置を提供する。【解決手段】筐体の外面には第１凹部１２３が設けられ、第１凹部１２３の内面側には受話音を出力するレシーバ１０６が取り付けられている。また、第１凹部１２３の底面部には、レシーバ１０６と連通する音孔１２４と、音孔１２４に連通する第２凹部１２５が形成されている。更に、第１凹部１２３の底面部に接し、音孔１２４及び第２凹部１２５を覆うようにレシーバカバー１２６が設けられ、レシーバカバー１２６は第２凹部１２５と重なる位置に穴１２７を有する。この穴１２７は、レシーバ１０６とレシーバカバー１２６の配置方向において、レシーバ１０６と重ならない位置に設けられる。【選択図】  図５
2004328047.tif 000002
【特許請求の範囲】
【請求項１】
筐体部材と、前記筐体部材の外面に設けられた第１凹部と、前記筐体部材における前記第１凹部の内面側に取り付けられ受話音を出力する音声出力部材と、前記第１凹部において前記音声出力部材と連通するように形成された音孔と、前記第１凹部の底面部においてその基端が前記音孔に連通するように設けられた第２凹部と、前記第１凹部の底面部に接し前記音孔及び前記第２凹部を覆うカバー部材と、前記第２凹部上に位置するように前記カバー部材に設けられた開口部とを備える携帯端末装置。
【請求項２】
請求項１記載の携帯端末装置であって、前記第１凹部と前記音声出力部材の配置方向において、前記第１凹部及び前記カバー部材は、前記音声出力部材と重なる領域より大きい携帯端末装置。
【請求項３】
請求項２記載の携帯端末装置であって、前記開口部は前記カバー部材に複数設けられ、前記第１凹部と前記音声出力部材の配置方向において、前記第２凹部は前記音声出力部材と重なる領域の外側に延在し、前記開口部の少なくとも一つは前記カバー部材の前記音声出力部と重なる領域の外側に設けられる携帯端末装置。
【請求項４】
請求項１ないし３のいずれか一項記載の携帯端末装置であって、前記第２凹部は、前記音孔から放射状に設けられる携帯端末装置。
【請求項５】
請求項１ないし４のいずれか一項記載の携帯端末装置であって、前記第１凹部及び前記カバー部材は略楕円形状を有する携帯端末装置。
【請求項６】
請求項１ないし５のいずれか一項記載の携帯端末装置であって、前記カバー部材は、前記音孔と前記第２凹部を除く、前記第１凹部の底面と当接する携帯端末装置。
【請求項７】
請求項１ないし６のいずれか一項記載の携帯端末装置であって、前記カバー部材は、前記第１凹部の深さとほぼ同一の厚みを有する携帯端末装置。
【発明の詳細な説明】
【０００１】
【発明の属する技術分野】
本発明は、携帯電話や携帯情報端末装置等の携帯端末装置に関し、特に、受話音声を出力する受話部の構造に関する。
【０００２】
【従来の技術】
従来の電話機能を備えた携帯端末装置としては、例えば特許文献１に記載されたものがある。この従来例では、携帯端末装置の本体部内面に、振動版の振動によって音声（受話音）を出力する受話部が設けられ、受話部前方側の本体部には、受話部から出力される音声を本体部の外面側に導く貫通孔を含む音孔部が形成され、本体部外面側であって音孔部はその周囲より低く形成した凹部に設けられている。
【０００３】
【特許文献１】
特開平７−３８６２４号公報
【０００４】
【発明が解決しようとする課題】
上記特許文献１の凹部は、使用者が耳を当てたとき、耳の一部によって音孔が塞がれないようにするために設けてある。そのため、使用者は耳と筐体との間の空間を密閉された空間にするために耳を強く押し当て、受話部から出力される音声が確実に聞こえるようにしている。使用者の耳が所定位置から多少外れてしまうと密閉空間が形成されず、振動版の振動による空間内の圧力変化が急激に小さくなる。その結果、使用者には音質が変化し、小さな音量で聞こえてしまう。
【０００５】
近年、このような構成を持つ装置として、携帯電話機が商品化されており、しかもその小型化、薄型化は著しく進展している。その反面、凹部の浅狭化を招き、持ち方、耳への当て方によっては、音孔を塞いでしまい確実な受話ができない場合があった。
【０００６】
本発明は、上記従来の事情に鑑みてなされたものであって、耳の位置が所定位置から多少外れても良好な音声が得られる携帯端末装置を提供するものである。
【０００７】
【課題を解決するための手段】
本発明の第一の態様における携帯端末装置は、筐体部材と、前記筐体部材の外面に設けられた第１凹部と、前記筐体部材における前記第１凹部の内面側に取り付けられ受話音を出力する音声出力部材と、前記第１凹部において前記音声出力部材と連通するように形成された音孔と、前記第１凹部の底面部においてその基端が前記音孔に連通するように設けられた第２凹部と、前記第１凹部の底面部に接し前記音孔及び前記第２凹部を覆うカバー部材と、前記第２凹部上に位置するように前記カバー部材に設けられた開口部とを備える。
【０００８】
この構成により、カバー部材に耳を当てたときに、カバー部材の変形を防止するとともに、使用者は開口部を通して良好な音声を聞くことができる。
【０００９】
本発明の第二の態様における携帯端末装置では、前記第１凹部と前記音声出力部材の配置方向において、前記第１凹部及び前記カバー部材は、前記音声出力部材と重なる領域より大きい。
【００１０】
この構成によれば、小型な音声出力部材を用いても広い範囲から音声を筐体外へ出力させることができる。
【００１１】
更に、本発明の第三の態様における携帯端末装置では、前記開口部は前記カバー部材に複数設けられ、前記第１凹部と前記音声出力部材の配置方向において、前記第２凹部は前記音声出力部材と重なる領域の外側に延在し、前記開口部の少なくとも一つは前記カバー部材の前記音声出力部と重なる領域の外側に設けられる。
【００１２】
この構成によれば、小型な音声出力部材を用いても広い範囲から音声を筐体外へ出力させることができる。
【００１３】
また、本発明の第四の態様における携帯端末装置では、前記第２凹部は、前記音孔から放射状に設けられる。
【００１４】
この構成によれば、第２凹部の形成面積を少なくすると共に、小型な音声出力部材を用いても広い範囲から音声を筐体外へ出力させることができる。
【００１５】
本発明の第五の態様における携帯端末装置では、前記第１凹部及び前記カバー部材は略楕円形状を有する。
【００１６】
この構成によれば、カバー部材を少ないスペースで配置すると共に、小型な音声出力部材を用いて広い範囲から音声を筐体外へ出力させることが可能となる。
【００１７】
本発明の第六の態様における携帯端末装置では、前記カバー部材は、前記音孔と前記第２凹部を除く、前記第１凹部の底面と当接する。
【００１８】
この構成によれば、使用者がカバー部材に耳を当てたときにおけるカバー部材の変形を防止することができる。
【００１９】
本発明の第七の態様における携帯端末装置では、前記カバー部材は、前記第１凹部の深さとほぼ同一の厚みを有する。
【００２０】
この構成によれば、カバー部材の表面と筐体部材の表面が略平坦となるため、カバー部材と使用者の密閉空間を形成することなく、使用者は良好な音声を聞くことができることができる。
【００２１】
【発明の実施の形態】
以下、本発明の実施の形態について図面を参照して説明する。なお、本実施の形態では、折畳型携帯電話機を例に挙げて説明するが、本発明は折畳型携帯電話機に限定されるものではない。
【００２２】
図１は、本発明の実施形態を説明するための折畳型携帯電話機の閉状態を示す外観図である。図２は、本発明の実施形態を説明するための折畳型携帯電話機の開状態を示す外観図である。図３は、図２に示された折畳型携帯電話機のＩＩＩ−ＩＩＩ断面図である。図４は、本発明の実施形態に係る折畳型携帯電話機の電気的構成を示すブロック図である。
【００２３】
図１及び図２に示すように、本実施形態の折畳型携帯電話機は、筐体１０１を有する。
【００２４】
筐体１０１は、第１筐体部材１０１ａおよび第２筐体部材１０１ｂから構成されており、これらがヒンジ部１０２を介して折畳み可能に連結され、ヒンジ部１０２の動作により開閉（図２の矢印Ａ方向及び反対方向）可能に構成されている。携帯時には、第１筐体部材１０１ａが第２筐体１０１ｂと隣接して対向するように閉じられた状態（図１に示す）で用いられる。使用時には、第１筐体部材１０１ａと第２筐体部材１０１ｂを開いて用いられる（図２に示す）。
【００２５】
図１乃至図３に示すように、第１筐体部材１０１ａには、レシーバ１０６と、表示部１１１と、ホール素子１１０とが収容されている。第２筐体部材１０１ｂには、アンテナ１０３と、バイブレータ部１０４と、操作部１０５と、スピーカ１０７と、送話部（マイクロフォン）１０８と、カメラ部１０９と、永久磁石１１２と、Ｉ／Ｏコネクタ（インターフェース用コネクタ）１１３と、電池１１４と、プリント基板１１５とが収容されている。また、Ｉ／Ｏコネクタ１１３はプリント基板１１５の端部に表面実装されている。
【００２６】
レシーバ１０６は、筐体１０１を閉じた時に第２筐体部材１０１ｂと対面する第１筐体部材１０１ａから音声が出力されるように配設されている。本実施形態の折畳型携帯電話機を通常の電話として使用する際に、レシーバ１０６から通信相手の音声が出力される。
【００２７】
表示部１１１は、第１筐体部材１０１ａの主面１０１ｃであって、レシーバ１０６よりヒンジ部１０２寄りに設けられている。この表示部１１１は液晶表示器等により構成することが可能であり、文字や記号、数字、画像、地図等を表示するものである。
【００２８】
プリント基板１１５には、送受信部１１６、データ変換部１１７、音声処理部１１８、画像処理部１１９、情報記録部１２０および制御部１２１が搭載されている。
【００２９】
バイブレータ部１０４は、プリント基板１１５上に載置され、着信時に起振することにより着信を振動で報知するものである。
【００３０】
操作部１０５は、第１操作部１０５ａ、第２操作部１０５ｂとを有している。第１操作部１０５ａは、閉状態の際に第１筐体部材１０１ａの主面１０１ｃと対向する第２筐体部材１０１ｂの主面１０１ｄに設けられている。第２操作部１０５ｂは第２筐体部材１０１ｂの主面１０１ｄに隣接した左側面１０１ｅに設けられている。
【００３１】
使用者は、第１操作部１０５ａを操作して、受話や終話の操作、レシーバ１０６やスピーカ１０７から出力される音量の調節、文字や記号、数字の入力を行うことができる。第２操作部１０５ｂを操作して、カメラ部１０９を操作したりマナーモードへの切替えができる。
【００３２】
カメラ部１０９は、第２筐体部材１０１ｂの主面１０１ｄと反対側の裏面１０１ｆに、電池１１４と併設して設けられており、第１操作部１０５ａの後方方向の被写体が撮像可能になっている。
【００３３】
カメラ部１０９が捉えた被写体からの入射光は、レンズ群１０９ａを通過してＣＣＤ（電荷結合素子）などの光電変換素子１０９ｂにて光信号から電気信号に変換され、画像情報が生成される。
【００３４】
この画像情報は、画像処理部１１９にて処理された後、表示部１１１に画像を生成する。
【００３５】
図４に示すように、送受信部１１６は、アンテナ１０３に接続されており、このアンテナ１０３で受信したデータを処理する。送受信部１１６で処理されたデータは、制御部１２１を介して、データ変換部１１７に伝達される。
【００３６】
データ変換部１１７は、受信データを音声データに変換して音声処理部１１８に伝達するものである。
【００３７】
音声処理部１１８は、音声データを復号化して音声信号を生成した後、レシーバ１０６やスピーカ１０７に伝達するものである。レシーバ１０６やスピーカ１０７では、音声処理部１１８から伝達された音声信号に対応する音声を出力するものである。
【００３８】
また、音声処理部１１８は、マイクロフォン１０８が受けた音声を符号化して音声データを生成した後、データ変換部１１７に伝達する。
【００３９】
データ変換部１１７は、伝達された音声データを通信データに変換する。変換された音声データである通信データは制御部１２１を介して送受信部１１６に送出される。送受信部１１６は、受け取った通信データを処理し、アンテナ１０３から無線信号の電波として送信する。
【００４０】
カメラ部１０９と表示部１１１は画像処理部１１９に接続されており、画像処理部１１９はカメラ部１０９や制御部１２１から送られた画像情報を、表示部１１１に表示するための画像処理を行う。
【００４１】
レシーバ１０６、スピーカ１０７およびマイクロフォン１０８は、音声処理部１１８に接続されており、音声処理部１１８はデータ変換部１１７に接続されている。
【００４２】
また、制御部１２１は、バイブレータ部１０４、操作部１０５、ホール素子１１０、Ｉ／Ｏコネクタ１１３、送受信部１１６、データ変換部１１７、画像処理部１１９および情報記録部１２０に接続され、これらの構成要素の制御を行う。制御部１２１は電池１１４にも接続されている。
【００４３】
カメラ部１０９により撮影された画像情報は、所定の操作をすると情報記録部１２０に記録される。
【００４４】
情報記録部１２０は、カメラ部１０９により撮影された画像情報の他にも、電話番号情報や音声情報、撮像した画像の画像情報以外の画像情報（受信した画像情報等）、作成中または送受信したメール等の文字情報を記録することができる。
【００４５】
ホール素子１１０は、筐体１０１が閉状態のときには永久磁石１１２と対向するように、第１筐体部材１０１ａに設けられている。
【００４６】
筐体１０１が閉状態では、永久磁石１１２がホール素子１１０に近接するため、ホール素子１１０が永久磁石１１２を検出して制御部１２１に検出信号を与える。
【００４７】
また、筐体１０１が開状態であれば、永久磁石１１２がホール素子１１０から離隔される。ホール素子１１０は永久磁石１１２を検出できないため、ホール素子１１０は検出信号を生成しない。
【００４８】
即ち、ホール素子１１０が永久磁石１１２を検出すると筐体１０１は閉状態であり、検出できなければ開状態である。制御部１２１は、ホール素子１１０の検出信号によって筐体１０１の開閉状態を認識できる。
【００４９】
上述のように構成された本実施形態の折畳型携帯電話機にあっては、開状態では使用者がレシーバ１０６近傍に耳を当てて使用する。この開状態では、レシーバ１０６とマイクロフォン１０８との間隔が最大となるため、筐体１０１を手に持ちレシーバ１０６近傍を頭部に当てて通話すると口の近傍にマイクロフォン１０８が近づくので、明瞭な音声が聞くことができ、送話も確実となる。また開状態では、手に持ってハンズフリーで通話したり、メールを読んだり或いはメールを作成するために文字入力をする時にも用いられる。閉状態では小さく折り畳まれ、投影面積が最小となるので、携帯性に好適となる。
【００５０】
次に、レシーバ部の構成を詳述する。
【００５１】
図５は、本発明の実施形態に係る折畳型携帯電話機に用いるレシーバ部近傍の分解斜視図である。図６は、レシーバ部近傍に耳を当てた状態を示す部分拡大断面図である。
【００５２】
図５及び図６において、第１筐体部材１０１ａは主面側ケース１０１ｇと裏面側ケース１０１ｈとを有して構成される。レシーバ１０６と主面側ケース１０１ｇとの間には、ネオプレンスポンジやウレタンスポンジなどのスポンジ類やゴム類などの弾性材からなる円環状のレシーバクッション１２２が押圧されて設けられる。主面側ケース１０１ｇの主面１０１ｃには略楕円形状の第１凹部１２３が形成される。レシーバ１０６は、主面側ケース１０１ｇにおいて、第１凹部１２３が設けられる主面１０１ｃ（外面）と反対側の内面側に取り付けられる。第１凹部１２３の底面部には、主面側ケース１０１ｇに貫通した貫通穴（音孔）１２４が形成されている。また第１凹部１２３には、基端部が音孔１２４に連通した第２凹部１２５が音孔１２４を中心に放射状に形成されている。音孔１２４は、この音孔１２４に対してレシーバ１０６の略中心が位置するように、すなわち音孔１２４とレシーバ１０６が略同心状に配設されている。第１凹部１２３とレシーバ１０６との配置方向において、第１凹部１２３はレシーバ１０６より大きく形成されており、即ち、レシーバ１０６の外形より外側まで設けられており、第２凹部１２５の先端はレシーバ１０６の外形より外側まで延設されている。
【００５３】
第１凹部１２３には、第１凹部１２３の底面部と接し、音孔１２４及び第２凹部１２５を覆うようにレシーバカバー１２６が接着固定される。このレシーバカバー１２６には開口部の一例である複数の穴１２７が形成され、裏面には穴１２７とは重ならないように粘着テープが設けられている。レシーバカバー１２６の穴１２７は第２凹部１２５と重なる位置関係にある。穴１２７の少なくとも一つは、レシーバ１０６の外形より外側、即ち、レシーバ１０６とレシーバカバー１２６との配置方向に対して、レシーバ１０６と重なる領域の外側に設けられている。また、レシーバカバー１２６を、第１凹部１２３と略同一形状に構成してもよく、また、レシーバカバー１２６の厚さを第１凹部１２３の深さとほぼ同じに構成してもよい。このような構成であれば、レシーバカバー１２６が第１凹部１２３に装着された時に、第１筐体部材の主面１０３ｃは略平坦となる。従って、第１筐体部材の主面１０３ｃと使用者の耳１２８との間に密閉空間を形成することなく、使用者は良好な音声を聞くことができる。
【００５４】
すなわち、レシーバ１０６に対しレシーバカバー１２６は、これらの配置方向において重なる領域と重ならない領域を有しており、第１凹部１２３及び第２凹部１２５は重なる領域から重ならない領域まで延設されている。穴１２７はこれら重なる領域と重ならない領域の両方に設けられている。
【００５５】
レシーバ１０６の前面から出力される音声は、レシーバクッション１２２の内側より音孔１２４、第２凹部１２５、穴１２７を通過して、第１筐体部材１０１ａ外に導かれる。
【００５６】
使用者は、耳１２８をレシーバ１０６近傍に当てて受話する。このとき、レシーバ１０６から出力された音声は、各穴１２７より出力されるので、使用者はレシーバ１０６近傍であれば十分に音声を聞き取ることができる。しかも、音声が出力される穴１２７はレシーバ１０６の外形より外側にもあるので、小型なレシーバ１０６を用いながらも広範囲で受話することができる。すなわち、使用者の耳の位置がレシーバ１０６の真上から幾分外れても、レシーバカバー１２６上であれば、十分聞き取ることができる。
【００５７】
更に、第１凹部１２３及びレシーバカバー１２６が略楕円形状を有することで、カバー部材を少ないスペースで配置すると共に、小型な音声出力部材を用いて広い範囲から音声を筐体外へ出力させることが可能となる。
【００５８】
また、例えば、周囲が煩いために、更に音声を聞き取りやすくするために使用者が耳１２８近傍に本折畳型携帯電話機を強く押し当てる場合もある。このとき、レシーバカバー１２６は第１凹部１２３の音孔１２４と第２凹部１２５を除く領域、即ちレシーバカバー１２６の裏面側の殆どは第１凹部１２３の底面部と当接しているので、レシーバカバー１２６の変形が回避可能である。従って、この動作によるレシーバカバー１２６の永久変形も回避される。また、第２凹部１２５は音孔１２４より、放射状に形成される。従って、第２凹部１２５により、少ない形成領域で、広い範囲から音性を筐体外へ出力させることが可能となる。また、レシーバカバー１２６と第１凹部１２３との当接領域も増やすことが可能であるので、レシーバカバー１２６の変形も防ぐことができる。
【００５９】
本実施形態の折畳型携帯電話機によれば、レシーバカバーに耳が当てられたときに、カバー部材の変形を防止されると共に、使用者が広い範囲に設けた開口部を通して良好な音声を聞くことができるので、常に良好な音声の受話ができる。
【００６０】
なお、本実施形態では、第２凹部１２５として、直線状の凹部を放射状に形成した場合を例にとって説明したが、本発明は必ずしもこの形状に限られるのではなく、音孔から導かれる音声を広い領域まで導く形状であれば、例えば、凹部が曲線状に形成されても良い。
【００６１】
【発明の効果】
以上説明したように、本発明に係る携帯端末装置によれば、耳の位置が所定位置から多少外れても良好な音声が得られるものである。
【図面の簡単な説明】
【図１】本発明の実施形態を説明するための折畳型携帯電話機の閉状態を示す外観図
【図２】本発明の実施形態を説明するための折畳型携帯電話機の開状態を示す外観図
【図３】図２に示された折畳型携帯電話機のＩＩＩ−ＩＩＩ断面図
【図４】本発明の実施形態に係る折畳型携帯電話機の電気的構成を示すブロック図
【図５】本発明の実施形態に係る折畳型携帯電話機に用いる蓋部近傍の分解斜視図
【図６】本発明の実施形態に係る折畳型携帯電話機に用いる蓋部近傍の構成及び動作を示す側断面図
【符号の説明】
１０１  筐体
１０１ａ  第１筐体部材
１０１ｂ  第２筐体部材
１０１ｃ  第１筐体部材の主面
１０１ｄ  第２筐体部材の主面
１０１ｅ  第２筐体部材の左側面
１０１ｆ  第２筐体部材の裏面
１０１ｇ  第１筐体部材の主面側ケース
１０１ｈ  第１筐体部材の裏面側ケース
１０６  レシーバ
１２２  レシーバクッション
１２３  第１凹部
１２４  音孔
１２５  第２凹部
１２６  レシーバカバー
１２７  穴
１２８  耳
【図１】
2004328047.tif 000003
【図２】
2004328047.tif 000004
【図３】
2004328047.tif 000005
【図４】
2004328047.tif 000006
【図５】
2004328047.tif 000007
【図６】
2004328047.tif 000008